(57)【特許請求の範囲】
【請求項１】
枠体と、網戸と、網戸の外れ止め部品とを備え、網戸は框に室内外方向に貫通する外れ止め部品取付け孔を設けてあり、外れ止め部品は、框の室内側面部及び室外側面部のいずれか一方の面部に取り付ける本体と、枠体の内周面に向けて突出自在な係止片と、框の他方の面部に設けた操作部と、框の外れ止め部品取付け孔に挿通して操作部と係止片を連結するネジとを有し、外れ止め部品の本体は、框の外れ止め部品取付け孔に挿通して框の室内側面部と室外側面部との間に配置する潰れ防止部を有し、操作部は一方の面部側に突出する突起を有し、操作部の突起が框の他方の面部に当接する位置から外れ止め部品取付け孔に入る位置にスライドしたときに係止片が枠体に係止した状態になり、その状態でネジを締めこむことで係止片を固定することを特徴とするサッシ。
【発明の詳細な説明】
【技術分野】
【０００１】
本発明は、網戸を設けたサッシに関する。
【背景技術】
【０００２】
図９（ａ）に示すように、枠体１０１に網戸１０３を設けたサッシ１０５において、網戸１０３には枠体１０１に係止する外れ止め部品１０７が設けてある。  
従来の外れ止め部品１０７は、網戸框１０９を室内外方向に貫通する外れ止め部品取付け孔に軸部１１１を挿通して、軸部１１１のネジ穴１１３に螺合するネジ１１５の頭１１５ａを網戸框１０９の室内側面部（他方の面部）から回して操作することで、軸部１１１の室外側端部に設けた係止部１１９（図９（ｂ）（ｄ）参照）を回動して係止部１１９を枠体１０１に設けた被係止部１２１に係止し、網戸１０３の外れを防止している。尚、網戸框１０９の室内側面部にはネジ１１５の頭１１５ａが設けてある位置に図９（ｅ）に示すように、ネジ１１５の操作方向を表示する表示シートが設けてある。  
【先行技術文献】
【特許文献】
【０００３】
【特許文献１】なし
【発明の概要】
【発明が解決しようとする課題】
【０００４】
しかし、図９（ａ）に示す外れ止め部品１０７では、軸部１１１に設けたネジ穴１１３にネジ１１５を螺合して締め付けることで、軸部１１１と共に係止部１１９を回動する構成であるから、図９（ｅ）に示す外れ方向（開方向）及び係止方向（閉方向）を明示していても、ネジ１１５がばかになると、外れ止め部品７が外れ位置（開放位置）にあるのか係止位置（ロック位置）にあるのか判断できなくなる虞がある。  
【０００５】
そこで、本発明は、網戸の外れ止め部品が開放位置にあるかロック位置にあるかを確実に判断できるサッシを提供することを目的とする。
【課題を解決するための手段】
【０００６】
請求項１に記載の発明は、枠体と、網戸と、網戸の外れ止め部品とを備え、網戸は框に室内外方向に貫通する外れ止め部品取付け孔を設けてあり、外れ止め部品は、框の室内側面部及び室外側面部のいずれか一方の面部に取り付ける本体と、枠体の内周面に向けて突出自在な係止片と、框の他方の面部に設けた操作部と、框の外れ止め部品取付け孔に挿通して操作部と係止片を連結するネジとを有し、外れ止め部品の本体は、框の外れ止め部品取付け孔に挿通して框の室内側面部と室外側面部との間に配置する潰れ防止部を有し、操作部は一方の面部側に突出する突起を有し、操作部の突起が框の他方の面部に当接する位置から外れ止め部品取付け孔に入る位置にスライドしたときに係止片が枠体に係止した状態になり、その状態でネジを締めこむことで係止片を固定することを特徴とするサッシである。
【発明の効果】
【０００７】
請求項１に記載の発明によれば、ネジを緩めて、操作部をネジと共にスライド操作することで係止片を枠体に係止してロック位置とし、このロック位置でネジを締め付けることでロック位置を固定し、ロック状態からネジを緩めて操作部をスライドして係止片と枠体との係止を外して開放位置にすることができる。  
したがって、操作部のスライド操作によりロック位置と開放位置とに係止片を移動する構成であるから、網戸の外れ止め部品が開放位置にあるかロック位置にあるかを確実に判断できる。  
操作部がロック状態から開放位置へ移動するときには操作部の突起が取り付け孔から出て一方の面部に乗り上げて操作部が浮き上がり、開放位置からロック位置へ移動するときには一方の面部に乗り上げた位置から取り付け孔へ入り込んで操作部が沈むので、手の感触で開放位置とロック位置とが変わったことを感知できる。  
潰れ防止部品は、框の一方の面部と他方の面部との間に配置するから、ネジを締め付けて操作部を固定するときにネジを締め付け過ぎて、一方の面部又は他方の面部が変形したり損傷するのを防止できる。  
【図面の簡単な説明】
【０００８】
【図１】外れ止め部品を取り付けた網戸部分及び枠体部分を抜き出して示す図であり、（ａ）はロック状態にあるときの縦断面図であり、（ｂ）は（ａ）の状態を室内側から見た正面図であり、（ｃ）は開放位置にあるときの断面図であり、（ｄ）は（ｃ）の状態を室内側から見た正面図であり、（ｅ）は網戸出荷時における断面図であり、（ｆ）は（ｅ）の状態の正面図である。
【図２】外れ止め部品を単独で納品するときの状態を示す側面図である。
【図３】外れ止め部品の操作部の図であり、（ａ）は正面図、（ｂ）は側面図、（ｃ）は平面図である。
【図４】外れ止め部品の本体の図であり、（ａ）は側面図、（ｂ）は平面図、（ｃ）は正面図、（ｄ）は背面図である。
【図５】外れ止め部品の係止片の図であり、（ａ）は正面図、（ｂ）は平面図である。
【図６】本発明の実施の形態にかかるサッシを室内側から見た正面図である。
【図７】図６に示すＡ−Ａ断面図である。
【図８】図６に示すＢ−Ｂ断面図である。
【図９】従来の網戸の外れ止め部品を示す図であり、（ａ）網戸がロック状態にあるときのサッシの上框部分及び上枠部分を示す断面図、（ｂ）は（ａ）に示す本体の正面図、（ｃ）は（ｂ）に示す本体の平面図、（ｄ）は（ｂ）に示す本体の側面図、（ｅ）は表示シートの正面図である。
【発明を実施するための形態】
【０００９】
以下に、添付図面を参照して本発明の実施の形態を説明する。  
図６〜図８に示すように、本発明の実施の形態に係るサッシ３１は、上枠３３ａ、下枠３３ｂ及び左右の縦枠３５ａ、３５ｂを枠組して構成した枠体３２に障子３４を配置してある。  
サッシ３１の上枠３３ａの室内側には、図７に示すように内周側に突出した上被係止片７３が設けてあり、下枠の室内側にも内周側に突出した下被係止片３８が設けてある。  
図７及び図８に示すように、サッシ３１の室内側（他方側）には、網戸４７が設けてあり、網戸４７は、上框４１ａ、下框４１ｂ及び左右縦框４３ａ、４３ｂを四周に組んだ網戸框（框）４０に網４５を張架してある。各上框４１ａ、下框４１ｂ及び左右縦框４３ａ、４３ｂは中空形材である。  
図７に示すように、上框４１ａには、室内外方向に貫通する外れ止め部品取り付け孔（取り付け孔）４９ａ、４９ｂが形成してあり、上框４１ａの室内側面部（他方の面部）４２ａに形成してある外れ止め部品取り付け孔４９ａと室外側面部（一方の面部）４２ｂに形成してある外れ止め部品取り付け孔４９ｂは上框４１ａを貫通して形成された孔である。
上框４１ａの外れ止め部品取り付け孔４９ａ、４９ｂには、網戸４７が枠体３２から外れるのを防止する外れ止め部品５１が取り付けてある。  
【００１０】
外れ止め部品５１は、図１（ａ）及び図２に示すように、本体６１と、係止片７１と、操作部５５と、ネジ５３で構成してある。  
図２及び図１（ｃ）に示すように、本体６１には、その室外側に係止片７１を保持すると共に係止片７１を上下方向のスライドを案内する保持部６１ｃと、上框４１ａの室外側面部４２ｂに取り付ける基部６２とを有している。  
図１（ａ）及び図４に示すように、基部６２には、ネジ５３の軸部５３ｂがスライドするスライド孔６１ａ（図１及び図４（ａ）（ｂ）中では破線で示している）が形成されている。スライド孔６１ａは上下方向に長い長穴である。本体６１の下端部には、上框４１ａの室外側下端に係合する回り止め部６１ｂが設けてある。  
本体６１の室内側には、上框４１ａの中空内に配置される潰れ防止部５７が設けてある。図４（ａ）（ｂ）に示すように、潰れ防止部５７は、対向する一対の壁部５７ａ、５７ａを有し、ネジ５３の軸部５３ｂが一対の壁部５７ａ、５７ａ間をスライド可能なスライド空間５８としてある。  
図４（ｃ）に示すように、潰れ防止部５７の一対の壁部５７ａ、５７ａの各外周側面は、上框４１ａの室内側面部４２ａ及び室外側面部４２ｂの取り付け孔４９ａ、４９ｂ（図１（ａ）参照）の丸孔に対応して、円弧面としてある。また、図４（ｂ）に示すように、潰れ防止部５７の各壁部５７ａの外周側面には、仮止め部５７ｃが突設してある。仮止め部５７ｃには、室外側面部４２ｂ側（図１（ａ）参照）ほど外周側への突出寸法を大きくした傾斜面が形成してある。  
【００１１】
図５（ａ）及び図５（ｂ）に示すように、係止片７１は、略矩形状のスライド部７１ａにネジ穴７１ｂが形成してあり、スライド部７１ａの上側に、上枠３３ａの上被係止片７３に係止可能な係止部７１ｃが形成してある。係止部７１ｃは、ネジ５３のスライドと共にスライドし、ネジ５３を締め付けたときにはネジの締め付けに伴い係止片７１は操作部５５側（図１（ａ）参照）に押圧される。  
【００１２】
図３に示すように、操作部５５は、このネジ５３の軸部５３ｂを装着するネジ穴５５ｄを有し、図１に示すように、ネジ５３を緩めているときにはネジ５３と共に上框４１ａの室内側面部４２ａに沿って上下に移動自在である。また、ネジ５３を緩めて操作部５５を上框４１ａの室内側面部４２ａから離しているときには、操作部５５はネジ５３に対して回転自在である。  
図１及び図３に示すように、操作部５５の室内側面には、左右側に互いに対向する一対の突壁５５ｂ、５５ｂが設けてあり、この突壁５５ｂ、５５ｂ間はネジの頭５３ａを収納する空間としてある。各突壁５５ｂは操作部５５のスライド方向に沿って長くしてある。
図１（ｂ）（ｄ）に示すように、操作部５５の上側端部には基準印２９が設けてある。基準印２９は矢印形状を成し、赤等の目立つ色に着色されている。  
図３及び図１に示すように、操作部５５の室外側面には、上側を次第に高くした突起５５ｃが設けてある。この突起５５ｃは、図３（ａ）及び図１（ｂ）に示すように、室外側から見た正面視が円形を成している。  
【００１３】
図６に示すように、上框４１ａには、操作部５５の横に、基準印２９の位置に対応して網戸４７のロック状態を示すロック位置印４８ａ及びロック解除状態を示す解除位置印４８ｂが、注意書き及び操作説明と共に表示してある。  
【００１４】
次に、本実施の形態にかかるサッシ３１において、網戸４７を枠体３２に脱着する操作、作用及び効果について説明するが、まず、外れ止め部品５１の網戸４７への取り付けについて説明する。この取り付けは、網戸４７を出荷前に工場で行うものである。  
図２に示すように、外れ止め部品５１は本体６１と、操作部５５と、係止片７１とをネジ５３で組み付けた状態としてある。  
この状態から、ネジ５３を回わして、本体６１の係止片７１からネジ５３を外して、本体６１と、ネジ５３を付けた状態の操作部５５とを分離する。  
その後、次のようにして、外れ止め部品５１を網戸４７の上框４１ａに取付ける。図１（ｅ）（ｆ）に示すように、本体６１の潰れ防止部５７を室外側から上框４１ａの室外側面部４２ｂ側に設けてある取り付け孔４９ｂ内に挿入する。潰れ防止部５７に設けた仮止め部５７ｃは取り付け孔４９の縁を超えて挿入され、取り付け孔４９の縁に係止し、本体６１を上框４１ａ内の室外側面部４２ｂに仮止めする。  
また、本体６１の回り止め部６１ｂを上框４１ａの下端に係合させる。  
次に、ネジ５３を挿入した操作部５５を、室内側から上框４１ａの室内側面部４２ａに設けてある取り付け孔４９ａを介して、ネジ５３の軸部５３ｂを、潰れ防止部５７に設けてあるスライド空間５８に挿通して、ネジ５３を係止片７１のネジ孔７１ｂに螺合し、ネジ５３を締め付けて、本体６１を室外側面部４２ｂに操作部５５を室外側面部４２ａに圧接するようにして固定する。  
図１（ｆ）に示すように、この網戸４７の出荷前の状態では、操作部５５の基準印２９は下側に向けておく。この状態では、図１（ｅ）に示すように、突起５５ｃは取り付け孔４９ａ内で上縁側に位置しているので、操作部５５をそれ以上上側に操作することができないから、係止片７１は保持部６１ｃ内に収納した状態になる。  
更に、操作部５５に設けた係止部５５ｃは、潰れ防止部５７に形成してあるネジ５３のスライド空間５８に入り込み、操作部５５は潰れ防止部５７の対向する壁部５７ａ、５７ａによりその回転方向の移動が規制された状態になる。  
【００１５】
一方、出荷された網戸４７の施工現場では、網戸４７をサッシ３１の枠体３２に取り付けるに際して、ネジ５３を緩めて、操作部５５を室内側面部４２ａ側に配置したまま回転させて、図１（ｄ）に示すように、基準印２９を上側に配置すると共に操作部５５の突起５５ｃは、図１（ｃ）（ｄ）に示すように、上框４１ａの室内側面部４２ａに乗り上げた状態にして、操作部５５をロック解除位置に位置させる。この状態では、操作部５５は室内側面部４２ａから浮いた状態となる。  
【００１６】
ロック解除位置では、係止片７１の係止部７１ｃは上枠３３ａの上被係止片７３から下方で離れた状態にある。
そして、ロック位置へ操作する場合には、ネジ５３を緩めた状態で、操作部５５を室内側面部４２ａに沿って上方にスライドすると、操作部５５の突起５５ｃが室内側面部４２ａの取り付け孔４９ａ内に入り込み、次に、ネジ５３の軸部５３ａが取り付け孔４９ａ及び潰れ防止部５８のスライド空間５８を上方に移動する。これにより、係止片７１の係止部７１ｃが上被係止部７３の室外側に重なるように上方へ移動し、上被係止部７３が係止片７１の係止部７１ｃと上框４１ａの室外側面部４２ｂとの間に挟まれる。この状態では、図６に示すように、基準印２９は、表示のロック位置４８ａに位置する。
そして、ネジ５３を締め付けると、上被係止部７３が係止片７１の係止部７１ｃに圧接して、外れ止め部品５１を介して網戸４７がサッシ３１に固定される。  
【００１７】
メンテナンス等で網戸４７を外すときには、図１（ｃ）（ｄ）に示すように、ネジ５３を緩めた後、操作部５５を押し下げることで、係止片７１の係止部７１ｃを上被係止部７３の下方ずれして上被係止部７３との係止状態を解除し、網戸４７の上框４１ａを室内側に倒すようにして、枠体３２から網戸４７を外す。  
【００１８】
本実施の形態によれば、図１に示すように、操作部５５のスライド操作によりロック位置と開放位置とに係止片７１を移動する構成であるから、網戸４７の外れ止め部品５１が開放位置にあるかロック位置にあるかを確実に判断することができる。  
操作部５５に設けた突起５５ｃは、操作部５５がロック位置にあるときには、室内側面４２ａの取り付け孔４９ａに入り込み、解除位置にあるときには、取り付け孔４９ａから外れて室内側面部４２に乗り上がり、操作部５５が室内側面部４２ａから浮いた状態となるので、操作部５５を操作している操作者は操作部５５が解除位置にあるかロック位置にあるかを手の感触で感知できる。  
外れ止め部品５１がロック位置及び解除位置にあるときに、ネジ５３を締め付けると、操作部５５と本体６１との間で、室内側面部４２ａ又は室外側面部４２ｂに締め付け力を与えるが、上框４１ａの中空部内に配置した潰れ防止部５７がネジ５３を締め過ぎて、室内側面部４２ａ又は室外側面部４２ｂが変形したり、損傷するのを防止できる。  
【００１９】
外れ止め部品５１を上框４１ａに取り付けるときには、本体６１の潰れ防止部５７を上框４１ａの室外側面部４２ｂに設けた取り付け孔４９ｂに挿入するが、潰れ防止部５７が上框４１ａの中空内に挿入したときに、仮止め部５７ｃが取り付け孔４９ａの縁に係止することで、抜け落ちるのを防止しており、本体６１から手を放して、本体６１と操作部５５とをネジ５３で締め付け固定できるから、取り付け作業性が良い。  
図１(ｅ)及び図１(ｆ）に示すように、網戸４７の納品状態では、操作部５５の基準印２９は、操作部５５の下方に配置しており、突起５５ｃは取り付け孔４９ａの上縁側に位置しているので、操作部５５をそれ以上上側に操作することができないから、係止片７１を突出しないままの状態で保持できると共に係止片７１の飛び出しを防止できるから、搬送に便利である。  
上框４１ａに形成する外れ止め部品５１の取付け孔４９ａ、４９ｂは、加工が容易な丸孔としているので、長孔より少ない工数で容易に加工できる。  
潰れ防止部５７に形成してあるスライド空間５８には、操作部５５に設けた係止部５５ｃが入り込んでいるので、操作部５５の回転を防止できる。  
外れ止め部品５１の本体６１には回り止め部６１ｂを上框４１ａの下端に係合させてあるので、ネジの操作時に本体６１が連れ回るのを防止できる。  
【００２０】
本発明は、上述した実施の形態に限らず、本発明の要旨を逸脱しない範囲で種々変形可能である。  
上述した実施の形態では、網戸４７をサッシ３１の室内側（一方側）に配置しているが、室外側（他方側）に網戸４７を設けても良い。  
また、外れ止め部品５１は、網戸４７の上框４１ａに設けたが、網戸４７の左右の縦框４３ａ、４３ｂの上側に設けても良い。この場合には、操作部５５は左右方向にスライドして、係止片７１を左右方向に突出する構成にする。  
上述した実施の形態では、ネジ５３の軸部５３ｂの軸径と突起５５ｃの幅とが略同一であるが、ネジ５３の軸部５３ｂの軸径と突起５５ｃの幅とが異なる場合には、潰れ防止部５７の壁部５７ａ、５７間のスライド空間５８は、軸部５３ｂのスライド方向が同一幅で連続して形成することに限らず、幅を変えても良い。  
【符号の説明】
【００２１】
３１  サッシ
３３ａ  上枠（枠体）
４１ａ  上框（框）
４２ａ  室内側面部（他方の面部）
４２ｂ  室外側面部（一方の面部）
４７  網戸
４９ａ  取り付け孔
４９ｂ  取り付け孔
５１  外れ止め部品
５３  ネジ
５５  操作部
５５ｃ  突起
６１  本体
７１  係止片
【図１】
0006312587.tif 000002
【図２】
0006312587.tif 000003
【図３】
0006312587.tif 000004
【図４】
0006312587.tif 000005
【図５】
0006312587.tif 000006
【図６】
0006312587.tif 000007
【図７】
0006312587.tif 000008
【図８】
0006312587.tif 000009
【図９】
0006312587.tif 000010